(57)【要約】【課題】鼻隠しの勾配に対応することができ、さらに、角樋を取り付ける際にも丸樋を取り付ける際にも用いることができ、安価に作製できる軒樋取り付け金具を提供する。【解決手段】軒樋吊り金具の面部の上縁には、軒樋カバー係止縁を形成しており、軒樋吊り金具の面部の下部には丸樋載置部が形成され、軒樋吊り金具の面部には軸穴と係止穴が設けられている。固定金具は、面板部と固定面とを有しており、該面板部には、軒樋吊り金具の軸穴に対応する位置に軸穴が、また、軒樋吊り金具の係止穴に対応する位置に係止穴が、それぞれ設けられている。固定金具の係止穴は複数設けられている。そして、軒樋吊り金具の軸穴と固定金具の軸穴とを合わせて軸ピンを通し、軒樋吊り金具の係止穴に固定金具の係止穴を合わせて係止ピンを通し、軒樋吊り金具と固定金具とを組み合わせる。【選択図】        図１
2004183474.tif 000002
【特許請求の範囲】
【請求項１】
軒樋吊り金具の面部の上縁には、
軒樋カバーを取り付けることができる軒樋カバー係止縁が形成されており、
軒樋吊り金具の面部の下部には、丸樋載置部が形成されており、
軒樋吊り金具の面部には、軸穴と係止穴が設けられており、
固定金具は、
面板部と、固定面とを有しており、
該面板部には、
軒樋吊り金具の軸穴に対応する位置に軸穴が、
軒樋吊り金具の係止穴に対応する位置に係止穴が、それぞれ設けられており、
該係止穴は複数設けられており、
前記軒樋吊り金具の軸穴と固定金具の軸穴とを合わせて、軸ピンを通し、
軒樋吊り金具の係止穴に固定金具の係止穴を合わせ、係止ピンを通し、
軒樋吊り金具と固定金具とを組み合わせて成る
軒樋取り付け金具。
【発明の詳細な説明】
【技術分野】
【０００１】
本発明は、軒樋を取り付けるための軒樋取り付け金具に関するものである。
【背景技術】
【０００２】
従来の技術について、図３８に基づいて説明する（特許文献１参照）。これは、特開２００１−３４９０２２号公報に示されている軒樋取り付け金具である。屋根の軒側に軒樋取り付け金具１を取り付けて、これに軒樋カバー２と軒樋３を取り付けるものであり、一つの軒樋取り付け金具で、軒樋と軒樋カバーの両方を取り付ける技術が開示されている。
【０００３】
図３９は他の従来の技術を表している（特許文献２参照）。これは特開平１１−２１０１８５号公報に示されている軒樋取り付け金具である。軒樋用前方係止部１７に軒樋前端を係止させ、軒樋後端を係止突起１５に係止させ、ストッパー１６にて、軒樋がはずれるのを防止しているものである。この軒樋取り付け金具は板金をプレスして作製している。
【０００４】
図４０はさらに他の従来の技術を表している（特許文献３参照）。これは実公昭５７−１５３０１号公報に示されている軒樋取り付け金具である。軒樋支持金具と固定金具を組み合わせて、軸穴１１と軸ピン１２および係止穴１３と係止ピン１４とを調整することにより、勾配が異なる鼻隠しに対応する軒樋取り付け金具が開示されている。
【０００５】
図４１はさらに他の従来の技術を表している（特許文献４参照）。これは実公昭５７−１２１１０号公報に示されている軒樋取り付け金具である。屈曲自在帯状体Ｋによって丸樋でも角樋でも固定できる技術が開示されている。
【０００６】
【特許文献１】特開２００１−３４９０２２号公報（図２）
【特許文献２】特開平１１−２１０１８５号公報（図７）
【特許文献３】実公昭５７−１５３０１号公報（図１）
【特許文献４】実公昭５７−１２１１０号公報（図１）
【発明の開示】
【発明が解決しようとする課題】
【０００７】
従来の軒樋取り付け金具は、目的とする作用効果を達成するための各構成が、それぞれの目的ごとに開示されていたため、それらの開示された技術を組み合わせることで機能を増加させようとすると、構成が複雑なものになってしまう。それらの機能を備えながらも比較的簡易な構成で提供することができる技術は、開示されていなかった。
【０００８】
解決しようとする課題は、軒樋カバーと軒樋とを固定することができ、また、鼻隠しの勾配に対応することができ、さらに、角樋を取り付ける際にも丸樋を取り付ける際にも用いることができる軒樋取り付け金具を、比較的簡易な構成で提供する点である。
【課題を解決するための手段】
【０００９】
軒樋吊り金具と固定金具とを組み合わせて成る軒樋取り付け金具を用いることで課題を解決する。
軒樋吊り金具の面部の上縁には、軒樋カバーを取り付けることができる軒樋カバー係止縁を形成しており、軒樋吊り金具の面部の下部には、丸樋載置部が形成されている。そして、軒樋吊り金具の面部には、軸穴と係止穴が設けられている。
固定金具は、面板部と固定面とを有しており、該面板部には、軒樋吊り金具の軸穴に対応する位置に軸穴が、また、軒樋吊り金具の係止穴に対応する位置に係止穴が、それぞれ設けられている。この係止穴は複数設けられている。
そして、軒樋吊り金具の軸穴と固定金具の軸穴とを合わせて軸ピンを通し、軒樋吊り金具と固定金具とを軸ピンを中心にして回動させ、適宜の角度に調整する。そして、軒樋吊り金具の係止穴に固定金具の係止穴を合わせて係止ピンを通し、軒樋吊り金具と固定金具とを組み合わせる。
この軒樋取り付け金具に各種の軒樋用固定具を取り付けたり、あるいは、丸樋載置部の前端に角樋の前端縁を係止する軒樋用前方係止部を設けたり、または、丸樋載置部の後端に角樋の後端縁を係止する係止突起を設けたりすることで、角樋にも丸樋にも対応させる。また、軒樋カバー係止縁に軒樋カバーを取り付ける。
【発明の効果】
【００１０】
本発明にかかる軒樋取り付け金具は、軒樋吊り金具と固定金具とを組み合わせているものであり、軒樋吊り金具も固定金具も、板金をカットしたものをプレス成型することで作製できる形状なので、板金をプレス成型することで低コストで提供することができる。
また、軒樋吊り金具と固定金具とを組み合わせ、軸ピンを中心にして軒樋吊り金具を回動させ、適宜の位置で係止ピンによって固定するものであるため、鼻隠しの勾配に対応することができるものである。
そして、この軒樋取り付け金具の軒樋カバー係止縁に軒樋カバーを取り付け、丸樋載置部に軒樋を取り付けることで、軒樋カバーと軒樋とを固定することができるものである。
【００１１】
軒樋を取り付けることに関していうと、各種の軒樋用固定具を用いたり、または、丸樋載置部の前端に角樋の前端縁を係止する軒樋用前方係止部を設け、丸樋載置部の後端に角樋の後端縁を係止する係止突起を設けたりすることで、消費者の好みに合わせて丸樋と角樋のいずれにも対応することができるものである。
このように各種の軒樋に対応できるため、軒樋の種類ごとに軒樋取り付け金具を用意しなくてはならないものに比べ、軒樋取り付け金具を作り置きしておくことができる。この点でコストダウンにつながるという効果もある。
また、市販の丸樋や角樋に合わせて、丸樋載置部や各種の軒樋用固定具の寸法や形状を設定しておけば、市販の樋を使用することができるので、一層のコストダウンを図ることができる。
【００１２】
このように本発明は、比較的簡易な形状の軒樋吊り金具と固定金具を組み合わせたことで、軒樋カバーと軒樋とを固定することができ、また、鼻隠しの勾配に対応することができ、さらに、角樋を取り付ける際にも丸樋を取り付ける際にも用いることができる軒樋取り付け金具を提供するものである。
【発明を実施するための最良の形態】
【００１３】
軒樋取り付け金具は、軒樋吊り金具と固定金具とを組み合わせることで構成し、軒樋吊り金具と固定金具はプレスにて成型できる形状にする。
軒樋吊り金具と固定金具とを組み合わせ、これらの組み合わせ角度を調整することで、鼻隠しの勾配に対応できる軒樋取り付け金具とする。
そして、軒樋取り付け金具上部には、軒樋カバーを取り付けることができ、軒樋カバーよりも下に軒樋を取り付けることができる構成とする。
【実施例１】
【００１４】
本発明第一実施例について、図１〜図６、図４２、図４３に基づいて説明する。
図１は軒樋取り付け金具１の斜視図、図２は図１の分解斜視図、図３・図４は丸樋を取り付けた様子を表す図、図５・図６は角樋を取り付けた様子を表す図、図４２と図４３は角樋固定具Ｉの他の実施例を表す図である。
【００１５】
本実施例の軒樋取り付け金具１は、図２に示した軒樋吊り金具１Ａと固定金具１Ｂとを組み合わせて構成されている。
この軒樋吊り金具１Ａと固定金具１Ｂは、板金をカットし、プレスで成型したものである。
【００１６】
軒樋吊り金具１Ａの面部１０上縁は、軒樋カバー２をはめ込むことができる形状の軒樋カバー係止縁１８となっている。
軒樋カバー係止縁１８の前端にはカバー前端係止部１８ｃが形成されている。軒樋カバー２は、図４に示したように、カバー面２２の前端が円弧状であり、その先端には前端係止部２１が形成されており、後端には、カバー後端立ち上がり片２４と後端係止部２３が形成されている。このカバー面２２の前端の円弧状部分がはまるようにカバー前端係止部１８ｃは弧を描いて形成されており、前端係止部２１がカバー前端係止部１８ｃの端部に係止する形状となっている。
一方、軒樋カバー係止縁１８の後端にはカバー後端係止用凸部１８ｂが形成されている。軒樋カバー２の後端係止部２３がカバー後端係止用凸部１８ｂに係止する形状となっている。
また、軒樋吊り金具１Ａの下部には、丸樋を載置できるように弧を描いて形成される丸樋載置部１９が形成されている。
軒樋吊り金具１Ａの面部１０には、軸穴１１と係止穴１３が設けられている。それぞれ、後述する固定金具１Ｂの軸穴１１と係止穴１３に対応する位置にあけられている。
【００１７】
固定金具１Ｂは、略扇形をした面板部１０Ｂと、その一端から略直角に折り曲げられた固定面１１Ｂとを有している。この固定面１１Ｂを鼻隠しに止着具にて固定するのである。
面板部１０Ｂには、軒樋吊り金具１Ａの軸穴１１に対応する位置に軸穴１１が、係止穴１３に対応する位置に係止穴１３がそれぞれ設けられている。係止穴１３は、鼻隠しの勾配に合わせて軒樋吊り金具１Ａの角度を調整できるように、弧を描くように複数設けられている。
【００１８】
このように構成された軒樋吊り金具１Ａの軸穴１１と固定金具１Ｂの軸穴１１とを合わせて、軸ピン１２を通して回動可能に組み合わせる。
この実施例においては、軸ピン１２として中空リベットを用いている。軒樋吊り金具１Ａの軸穴１１と固定金具１Ｂの軸穴１１とを合わせて、中空リベットを通し、軒樋吊り金具１Ａと固定金具１Ｂとを回動可能な状態にして中空リベットをかしめることで軒樋吊り金具１Ａと固定金具１Ｂとを組み合わせる。
また、軒樋吊り金具１Ａの係止穴１３に固定金具１Ｂの係止穴１３を合わせ、係止ピン１４を通して固定する。この実施例においては、係止ピン１４としてボルトが用いられており、ナットを締めることで固定する。
こうして、軒樋吊り金具１Ａと固定金具１Ｂとが組み合わせられて、軒樋取り付け金具１を形成するものである。
【００１９】
この軒樋取り付け金具１を用いて丸樋である軒樋３を取り付けた実施例が、図３・図４である。
丸樋を取り付けるために、丸樋の奥側に位置する耳部を固定させるための丸樋固定用金具Ｃ１を軒樋取り付け金具１に取り付け、また、丸樋載置部１９の前端には丸樋固定具Ｃを取り付ける。
また、前述の通り、軒樋吊り金具１Ａと固定金具１Ｂをあらかじめ組み合わせておくが、軸ピン１２を中心にして回動させ、固定金具１Ｂの係止穴１３を鼻隠しＨの角度に合わせて適宜選んで、軒樋吊り金具１Ａの係止穴１３に合わせることで、鼻隠しＨの勾配に合わせて軒樋吊り金具１Ａの角度を調整しておくことができる。
このようにして軒樋吊り金具１Ａと固定金具１Ｂが組み合わせられた軒樋取り付け金具１を、鼻隠しＨに固定するが、固定金具１Ｂの固定面１１Ｂを鼻隠しＨに止着具等で固定することで取り付けていく。
その後、丸樋の奥側に位置する耳部を丸樋固定用金具Ｃ１にはめながら、丸樋載置部１９に丸樋を載せ、手前側の耳部を丸樋固定具Ｃで固定する（図４参照）。
【００２０】
また、軒樋カバー２を軒樋カバー係止縁１８にはめ込んで取り付ける。この実施例の軒樋カバー２は、カバー面２２の前端が円弧状であり、その先端は、軒樋吊り金具１Ａのカバー前端係止部１８ｃに係止する前端係止部２１が形成されている。カバー面２２の後端は、カバー後端立ち上がり片２４が形成されており、さらに、カバー後端係止用凸部１８ｂに係止するよう後端係止部２３が形成されている。
前記カバー後端立ち上がり片２４は、雨水が鼻隠しＨと軒樋３との間にまわることを防ぐ手段の一つである。このカバー後端立ち上がり片２４を設けたため、後述する第三実施例に比べ、軸ピン１２が高い位置に設けられている。およそカバー面２２の延長線上に軸ピン１２を位置させることで、カバー後端立ち上がり片２４を有しながらも鼻隠しＨの勾配に対応できる軒樋取り付け金具１が提供できる。
軒樋吊り金具１Ａのカバー後端係止用凸部１８ｂに軒樋カバー２の後端係止部２３を係止させ、カバー前端係止部１８ｃに前端係止部２１を係止させることで、軒樋カバー２を軒樋カバー係止縁１８にはめ込んで取り付ける。
【００２１】
この軒樋取り付け金具１を用いて角樋を取り付けた実施例が、図５、図６である。
角樋である軒樋３には、前端に軒樋前端３Ａが、後端に軒樋後端３Ｂが形成されている。
丸樋載置部１９の前端には、軒樋用固定具である軒樋用前方係止部１７が取り付けられており、又、後端には角樋固定具Ｉが取り付けられている。
この軒樋用前方係止部１７は、軒樋前端３Ａ内にはまり込んで係止する形状をしている。
角樋固定具Ｉは、係止突起１５とストッパー１６とを有しており、係止突起１５とストッパー１６との間に軒樋後端３Ｂを差し込んで係止することができる形状に形成されている。
このように構成された軒樋取り付け金具１を、前述と同様に、鼻隠しＨの角度に合わせて軒樋吊り金具１Ａと固定金具１Ｂとを組み合わせておき、鼻隠しＨに取り付ける。
軒樋前端３Ａを軒樋取り付け金具１の軒樋用前方係止部１７に係止させ、軒樋後端３Ｂを角樋固定具Ｉの係止突起１５とストッパー１６の間に差し込んで、係止突起１５に係止させる。ストッパー１６があるため、係止突起１５から軒樋後端３Ｂがはずれるのを防止できる。
この角樋固定具Ｉの他の実施例として、図４２と図４３から説明する。
図４２と図４３に示した角樋固定具Ｉは、上向きの係止片を有する係止突起１５とそれに相対するストッパー１６を有している。角樋の軒樋後端３Ｂの形状が、内側下向きに折り曲げられているものの場合、その軒樋後端３Ｂが係止するように上向きの係止片を有する係止突起１５となっている。そして、軒樋後端３Ｂを角樋固定具Ｉの係止突起１５とストッパー１６の間に差し込んで、係止突起１５に係止させる。
このように、角樋固定具Ｉの形状は、軒樋後端３Ｂの形状に合わせて設計すればよい。
そして、軒樋カバー２を、前述と同様に、軒樋カバー係止縁１８にはめ込んで取り付ける。
【００２２】
このように本発明にかかる第一実施例は、軒樋吊り金具１Ａと固定金具１Ｂとを組み合わせているものであり、軒樋吊り金具１Ａも固定金具１Ｂも、板金をカットしたものをプレス成型することで作製できる比較的簡易な形状であるため、低コストで提供することができる。
また、軒樋吊り金具１Ａと固定金具１Ｂとを組み合わせることで、鼻隠しＨの勾配が異なるものに対しても、軒樋をより水平に近い角度で取りつけることができるものである。
そして、この軒樋取り付け金具１に軒樋と軒樋カバー２の双方を取り付けることができ、軒樋用固定具を用いることで、消費者の好みに合わせて丸樋と角樋のいずれにも適応することができるものである。
市販の丸樋や角樋に合わせて、丸樋載置部１９や各種の軒樋用固定具（丸樋固定具Ｃ、丸樋固定用金具Ｃ１、軒樋用前方係止部１７、角樋固定具Ｉ）の寸法や形状を設定しておけば、市販の樋を使用することができるので、一層のコストダウンを図ることができる。
簡易な形状の軒樋吊り金具１Ａと固定金具１Ｂを組み合わせたことで、低コストで作製でき、かつ上記のような多機能を備えた軒樋取り付け金具を提供するものである。
加えて、あらかじめ鼻隠しＨの角度に合わせて、軒樋吊り金具１Ａと固定金具１Ｂとを組み合わせておき、それを鼻隠しＨに順次取り付け、その後、軒樋３と軒樋カバー２をはめながら固定していくことで施工できるので、特別な熟練を必要とせずに施工できるという利点もある。
【実施例２】
【００２３】
本発明第二実施例について、図７〜図１１に基づいて説明する。
図７は軒樋取り付け金具１の斜視図、図８は図７に丸樋固定具Ｃを取り付けた図、図９は丸樋を取り付けた様子を表す図、図１０は図７に角樋固定具Ｉを取り付けた図、図１１は角樋を取り付けた様子を表す図である。
【００２４】
本実施例の軒樋取り付け金具１は、前述の第一実施例の軒樋取り付け金具１に、あらかじめ軒樋用前方係止部１７を形成しておくものである。
第一実施例の図１と第二実施例の図７とを比較すると、図１の丸樋載置部１９の前端に軒樋用前方係止部１７を形成し、また、丸樋係止凸部１９aを形成したものが図７である。その他の構成は同じである。
この軒樋用前方係止部１７は、角樋の前端縁を係止することができる形状である。
また、丸樋係止凸部１９aは、軒樋用前方係止部１７が形成されている部分と反対側の端部に相対するように形成されている。丸樋係止凸部１９aの下に、丸樋の耳部が収まる切り欠きが形成されており、丸樋載置部１９に丸樋を載せたとき、この切り欠きに耳部が入り込み、それがはずれないように丸樋係止凸部１９aが形成されている。
上記以外は、この第二実施例は前述の第一実施例と同じ構成である。
【００２５】
本実施例の軒樋取り付け金具１も、軒樋吊り金具１Ａと固定金具１Ｂとを組み合わせて構成されており、この軒樋吊り金具１Ａと固定金具１Ｂは、板金をカットし、プレスで成型したものである。
【００２６】
軒樋吊り金具１Ａの面部１０上縁は、軒樋カバー２をはめ込むことができる形状の軒樋カバー係止縁１８となっている。軒樋カバー係止縁１８の前端にはカバー前端係止部１８ｃが、後端にはカバー後端係止用凸部１８ｂが、それぞれ軒樋カバー２の形状に合わせて形成されている。
また、軒樋吊り金具１Ａの下部には、丸樋を載置できるように弧を描いて形成される丸樋載置部１９が形成されている。
丸樋載置部１９の先端には、角樋の前端縁を係止することができる形状の軒樋用前方係止部１７が形成されており、軒樋用前方係止部１７が形成されている部分と反対側の端部に、面部１０から突出している丸樋係止凸部１９aが形成されている。丸樋係止凸部１９aの下には、丸樋の耳部が収まる切り欠きが形成されている。丸樋載置部１９に丸樋を載せたとき、一方の耳部は後述する丸樋固定具Ｃで固定されるので、もう一方の耳部がはずれないように丸樋係止凸部１９aが形成されているのである。
軒樋吊り金具１Ａの面部１０には、図２と同様に、軸穴１１と係止穴１３が設けられている。それぞれ、後述する固定金具１Ｂの軸穴１１と係止穴１３に対応する位置にあけられている。
【００２７】
固定金具１Ｂは、図２と同様に、略扇形をした面板部１０Ｂと、その一端から略直角に折り曲げられた固定面１１Ｂとを有している。この固定面１１Ｂを鼻隠しに止着具にて固定するのである。
面板部１０Ｂには、軒樋吊り金具１Ａの軸穴１１に対応する位置に軸穴１１が、係止穴１３に対応する位置に係止穴１３がそれぞれ設けられている。係止穴１３は、鼻隠しの勾配に合わせて軒樋吊り金具１Ａの角度を調整できるように、弧を描くように複数設けられている。
【００２８】
このように構成された軒樋吊り金具１Ａの軸穴１１と固定金具１Ｂの軸穴１１とを合わせて、軸ピン１２を通して回動可能に組み合わせる。
この実施例においても、軸ピン１２として中空リベットを用いている。軒樋吊り金具１Ａの軸穴１１と固定金具１Ｂの軸穴１１とを合わせて、中空リベットを通し、軒樋吊り金具１Ａと固定金具１Ｂとを回動可能な状態にして中空リベットをかしめることで軒樋吊り金具１Ａと固定金具１Ｂとを組み合わせる。
また、軒樋吊り金具１Ａの係止穴１３に固定金具１Ｂの係止穴１３を合わせ、係止ピン１４を通して固定する。この実施例においては、係止ピン１４としてボルトが用いられており、ナットを締めることで固定する。
こうして、軒樋吊り金具１Ａと固定金具１Ｂとが組み合わせられて、軒樋取り付け金具１を形成するものである。
【００２９】
この軒樋取り付け金具１を用いて丸樋を取り付けた実施例が、図８・図９である。
丸樋を取り付けるために、軒樋用前方係止部１７に丸樋固定具Ｃを取り付ける。
また、前述の通り、軒樋吊り金具１Ａと固定金具１Ｂをあらかじめ組み合わせておくが、軸ピン１２を中心にして回動させ、固定金具１Ｂの係止穴１３を鼻隠しＨの角度に合わせて適宜選んで、軒樋吊り金具１Ａの係止穴１３に合わせることで、鼻隠しＨの勾配に合わせて軒樋吊り金具１Ａの角度を調整しておくことができる。
このようにして軒樋吊り金具１Ａと固定金具１Ｂが組み合わせられた軒樋取り付け金具１を、鼻隠しＨに固定するが、固定金具１Ｂの固定面１１Ｂを鼻隠しＨに止着具等で固定することで取り付けていく。
その後、丸樋である軒樋３の奥側に位置する耳部を、丸樋係止凸部１９aの下に形成された切り欠きに差し込みながら、丸樋載置部１９に丸樋を載せ、手前側の耳部を丸樋固定具Ｃで固定する（図９参照）。
【００３０】
また、軒樋カバー２を軒樋カバー係止縁１８にはめ込んで取り付ける。この実施例の軒樋カバー２は、カバー面２２の前端が円弧状であり、その先端は、軒樋吊り金具１Ａのカバー前端係止部１８ｃに係止する前端係止部２１が形成されている。カバー面２２の後端は、カバー後端立ち上がり片２４が形成されており、さらに、カバー後端係止用凸部１８ｂに係止するよう後端係止部２３が形成されている。
軒樋吊り金具１Ａのカバー後端係止用凸部１８ｂに軒樋カバー２の後端係止部２３を係止させ、カバー前端係止部１８ｃに前端係止部２１を係止させることで、軒樋カバー２を軒樋カバー係止縁１８にはめ込んで取り付ける。
【００３１】
この軒樋取り付け金具１を用いて角樋を取り付けた実施例が、図１０、図１１である。
角樋である軒樋３には、前端に軒樋前端３Ａが、後端に軒樋後端３Ｂが形成されている。
丸樋載置部１９の後方には、角樋固定具Ｉが取り付けられている。この角樋固定具Ｉは、係止突起１５とストッパー１６とを有しており、係止突起１５とストッパー１６との間に軒樋後端３Ｂを差し込んで係止することができる形状に形成されている。
このように構成された軒樋取り付け金具１を、前述と同様に、鼻隠しＨの勾配に合わせて軒樋吊り金具１Ａと固定金具１Ｂとを組み合わせておき、鼻隠しＨに取り付ける。
軒樋前端３Ａを軒樋取り付け金具１の軒樋用前方係止部１７に係止させ、軒樋後端３Ｂを角樋固定具Ｉの係止突起１５とストッパー１６の間に差し込んで係止させる。
また、軒樋カバー２を、前述と同様に、軒樋カバー係止縁１８にはめ込んで取り付ける。
【００３２】
このように本発明にかかる第二実施例は、前述の第一実施例に、あらかじめ軒樋用前方係止部１７と丸樋係止凸部１９aおよび丸樋係止凸部１９aの下に丸樋の耳部が収まる切り欠きを形成しておくものである。
これらをあらかじめ形成しておくことで、角樋を取り付けるときには、角樋固定具Ｉを丸樋載置部１９の後方に取り付ければよく、また、丸樋を取り付けるときには丸樋固定具Ｃを軒樋用前方係止部１７に取り付ければよい。このように、軒樋３を取り付けるために一つの部品を追加すればよい。
第一実施例の場合は、角樋を取り付ける際には、軒樋用前方係止部１７と角樋固定具Ｉの二つの部品を追加し、丸樋を取り付ける際には丸樋固定具Ｃと丸樋固定用金具Ｃ１の二つの部品を追加しなくてはならなかったが、第二実施例は一つの部品を追加すればよいものである。
【００３３】
その他の効果に関しては、前述の第一実施例と同じ効果を発揮するものである。
【００３４】
図１２は、上記の第一実施例・第二実施例に融雪用ヒーターＹを組み込んだ一例である。
後述する第三実施例に比べ、第一実施例・第二実施例は、カバー前端係止部１８ｃの上部において面部１０がくり抜かれている。この部分にパイプ状の融雪用ヒーターＹを取り付けたものが図１２である。
軒樋カバー２を装着した場合、軒樋カバー２の先端部内側に融雪用ヒーターＹが位置することになり、この融雪用ヒーターＹを発熱させることで、つららや雪庇（せっぴ／雪がせり出して庇のような状態になる）ができるのを防止できる。
【実施例３】
【００３５】
本発明の第三実施例について、図１３〜図２１に基づいて説明する。図１３は軒樋取り付け金具１の斜視図、図１４は軒樋吊り金具１Ａの斜視図、図１５は固定金具１Ｂの斜視図、図１６〜図２１は軒樋取り付け金具１の説明図である。
【００３６】
本実施例の軒樋取り付け金具１は、図１４に示した軒樋吊り金具１Ａと図１５に示した固定金具１Ｂとを組み合わせて構成されている。
この軒樋吊り金具１Ａと固定金具１Ｂは、板金をカットし、プレスで成型したものである。
【００３７】
軒樋吊り金具１Ａの面部１０の上縁は、第一実施例と同様に、軒樋カバー２をはめ込むことができる形状の軒樋カバー係止縁１８となっている。軒樋カバー係止縁１８の前端にはカバー前端係止用凸部１８aが、後端にはカバー後端係止用凸部１８ｂが、それぞれ軒樋カバー２の形状に合わせて形成されている。
また、軒樋吊り金具１Ａの下部には、丸樋の形状に沿うように弧を描いて形成される丸樋載置部１９が形成されている。
丸樋載置部１９の前端には、角樋の前端縁を係止することができる形状の軒樋用前方係止部１７が形成されており、後端には角樋の後端縁を係止することができる係止突起１５が形成されている。係止突起１５と相対するようにストッパー１６が設けられている。
また、丸樋載置部１９に丸樋を載せたときに、丸樋の耳部を係止する丸樋係止凸部１９aが形成されている。丸樋載置部１９に丸樋を載せたとき、一方の耳部は後述する丸樋固定具Ｃで固定されるので、もう一方の耳部を、丸樋係止凸部１９aにて係止するのである。それで、丸樋載置部１９の、軒樋用前方係止部１７が形成されている部分と反対側の端部に相対するように、面部１０から突出させて、丸樋係止凸部１９aが形成されている。
軒樋吊り金具１Ａの面部１０には、軸穴１１と係止穴１３が設けられている。それぞれ、後述する固定金具１Ｂの軸穴１１と係止穴１３に対応する位置にあけられている。
【００３８】
固定金具１Ｂは、略扇形をした面板部１０Ｂと、その一端から略直角に折り曲げられた固定面１１Ｂとを有している。この固定面１１Ｂを鼻隠しに止着具にて固定するのである。面板部１０Ｂには、軒樋吊り金具１Ａの軸穴１１に対応する位置に軸穴１１が、係止穴１３に対応する位置に係止穴１３がそれぞれ設けられている。係止穴１３は、鼻隠しの勾配に合わせて軒樋吊り金具１Ａの角度を調整できるように、弧を描くように複数設けられている。
【００３９】
このように構成された軒樋吊り金具１Ａの軸穴１１と固定金具１Ｂの軸穴１１とを合わせて、軸ピン１２を通して組み合わせる。この実施例においては、軸ピン１２としてボルトが用いられており、ナットを締めることで組み合わせる。
また、軒樋吊り金具１Ａの係止穴１３に固定金具１Ｂの係止穴１３を合わせ、係止ピン１４を通して固定する。この実施例においては、係止ピン１４としてボルトが用いられており、ナットを締めることで固定する。
こうして、軒樋吊り金具１Ａと固定金具１Ｂとが組み合わせられて、軒樋取り付け金具１を形成するものである。
【００４０】
この軒樋取り付け金具１を用いて丸樋を取り付けた実施例が、図１６〜図１９である。この軒樋取り付け金具１の丸樋載置部１９をあらかじめ市販の丸樋の形状に合わせて設計しておくことで、丸樋は市販のものを用いることができる。
前述の通り、軒樋吊り金具１Ａと固定金具１Ｂをあらかじめ組み合わせておくが、固定金具１Ｂの係止穴１３を鼻隠しＨの勾配に合わせて適宜選んで、軒樋吊り金具１Ａの係止穴１３に合わせることで、軒樋がより水平に近い角度で支持されるように、鼻隠しＨの角度に合わせて軒樋吊り金具１Ａの角度を調整しておくことができる。
このようにして軒樋吊り金具１Ａと固定金具１Ｂが組み合わせられた軒樋取り付け金具１を、鼻隠しＨに固定するが、固定金具１Ｂの固定面１１Ｂを鼻隠しＨに止着具等で固定することで取り付けていく。
その後、丸樋載置部１９に丸樋を載せ固定具で固定する。まず、丸樋の奥側に位置する耳部を丸樋係止凸部１９aよりも奥に差し込み、丸樋を丸樋載置部１９に載せて、手前側の耳部を固定具で固定する。この実施例では、軒樋用前方係止部１７に丸樋固定具Ｃを取り付けて（図１６参照）、丸樋の前端を丸樋固定具Ｃにて固定している（図１７参照）。丸樋を固定する方法は、専用クリップを作製したり、あるいは番線で固定したりと、様々な方法が考え得る。
【００４１】
また、軒樋カバー２を軒樋カバー係止縁１８にはめ込んで取り付ける。この実施例の軒樋カバー２は、カバー面２２の前端が円弧状であり、その先端は、軒樋吊り金具１Ａのカバー前端係止用凸部１８aに係止するよう上方に折り曲げられ、前端係止部２１が形成されている。カバー面２２の後端は下方に折り曲げられて、カバー後端係止用凸部１８ｂに係止する後端係止部２３が形成されている。
軒樋吊り金具１Ａのカバー後端係止用凸部１８ｂに軒樋カバー２の後端係止部２３を係止させ、カバー前端係止用凸部１８aに前端係止部２１を係止させることで、軒樋カバー２を軒樋カバー係止縁１８にはめ込んで取り付ける。
【００４２】
図１８と図１９は、鼻隠しＨの勾配に合わせて軒樋吊り金具１Ａの角度を調整する様子を表しているが、軒樋吊り金具１Ａの係止穴１３と固定金具１Ｂの係止穴１３を適宜選んで合わせることで、図１８のように屋根勾配に対して垂直に取り付けられた鼻隠しＨに取り付けることも、図１９のように鉛直に取り付けられた鼻隠しＨに取り付けることもできるものである。このように鼻隠しＨの角度が変わっても、軒樋をより水平に近い角度で取り付けることができる軒樋取り付け金具１である。
【００４３】
この軒樋取り付け金具１を用いて角樋を取り付けた実施例が、図２０、図２１である。
角樋には、前端に軒樋前端３Ａが、後端に軒樋後端３Ｂが形成されている。軒樋吊り金具１Ａの軒樋用前方係止部１７は、軒樋前端３Ａ内にはまり込んで係止する形状をしており、係止突起１５は軒樋後端３Ｂを係止できる形状をしており、相対するストッパー１６は、係止突起１５との間に軒樋後端３Ｂを差し込むことができる形状に形成されている（図２１参照）。
市販の角樋の軒樋前端３Ａや軒樋後端３Ｂにあわせて、軒樋吊り金具１Ａの軒樋用前方係止部１７と係止突起１５およびストッパー１６を設計しておけば、市販されている角樋を用いることができるので、一層コストダウンを図ることができる。
このように構成された軒樋取り付け金具１を、前述と同様に、鼻隠しＨの角度に合わせて軒樋吊り金具１Ａと固定金具１Ｂとを組み合わせておき、鼻隠しＨに取り付ける。
軒樋前端３Ａを軒樋取り付け金具１の軒樋用前方係止部１７に係止させ、軒樋後端３Ｂを軒樋取り付け金具１の係止突起１５とストッパー１６の間に差し込んで、係止突起１５に係止させる。ストッパー１６があるため、係止突起１５から軒樋後端３Ｂがはずれるのを防止できる。
また、軒樋カバー２を、前述と同様に、軒樋カバー係止縁１８にはめ込んで取り付ける。
【００４４】
このように本発明にかかる第三実施例は、軒樋吊り金具１Ａと固定金具１Ｂとを組み合わせているものであり、軒樋吊り金具１Ａも固定金具１Ｂも、板金をカットしたものをプレス成型することで作製できる形状であるため、低コストで提供することができる。
また、軒樋吊り金具１Ａと固定金具１Ｂとを組み合わせることで、鼻隠しＨの角度が異なるものに対しても、軒樋をより水平に近い角度で取りつけることができるものである。
そして、この軒樋取り付け金具１に軒樋と軒樋カバー２の双方を取り付けることができ、軒樋も消費者の好みに合わせて丸樋と角樋のいずれにも適応することができるものである。
市販の丸樋や角樋に合わせて、丸樋載置部１９や丸樋係止凸部１９a、軒樋用前方係止部１７、係止突起１５、ストッパー１６等の寸法や形状を設定しておけば、市販の樋を使用することができるので、一層のコストダウンを図ることができる。
簡易な形状の軒樋吊り金具１Ａと固定金具１Ｂを組み合わせたことで、低コストで作製でき、かつ上記のような多機能を備えた軒樋取り付け金具を提供するものである。
加えて、あらかじめ鼻隠しＨの角度に合わせて、軒樋吊り金具１Ａと固定金具１Ｂとを組み合わせておき、それを鼻隠しＨに順次取り付け、その後、軒樋と軒樋カバー２をはめながら固定していくことで施工できるので、特別な熟練を必要とせずに施工できるという利点もある。
【実施例４】
【００４５】
本発明の第四実施例について、図２２〜図２９に基づいて説明する。
図２２は軒樋取り付け金具１の斜視図、図２３は軒樋吊り金具１Ａの斜視図、図２４は固定金具１Ｂの斜視図、図２５〜図２９は軒樋取り付け金具１の説明図である。
【００４６】
この第四実施例の軒樋取り付け金具１は、図２３に示した軒樋吊り金具１Ａと図２４に示した固定金具１Ｂとを組み合わせて構成されている。
これらの金具は、前述の第三実施例の軒樋吊り金具１Ａと基本的に同じ構成であるが、軸穴１１と係止穴１３をそれぞれ長穴にしたことで、第三実施例の目的効果を達成するうえ、軒樋の樋勾配にも対応することができるものである。
【００４７】
軒樋吊り金具１Ａの面部１０上縁は、軒樋カバー２をはめ込むことができる形状の軒樋カバー係止縁１８となっている。軒樋カバー係止縁１８の前端にはカバー前端係止用凸部１８aが、後端にはカバー後端係止用凸部１８ｂが、それぞれ軒樋カバー２の形状に合わせて形成されている。
また、軒樋吊り金具１Ａの下部には、丸樋の形状に沿うように弧を描いて形成される丸樋載置部１９が形成されている。丸樋載置部１９の前端には、角樋の前端縁を係止することができる形状の軒樋用前方係止部１７が形成されており、後端には角樋の後端縁を係止することができる係止突起１５が形成されている。係止突起１５と相対するようにストッパー１６が設けられている。
また、丸樋載置部１９に丸樋を載せたときに、丸樋の耳部を係止する丸樋係止凸部１９aが形成されている。丸樋載置部１９に丸樋を載せたとき、一方の耳部は後述する丸樋固定具Ｃで固定されるので、もう一方の耳部を、丸樋係止凸部１９aにて係止するのである。それで、丸樋載置部１９の、軒樋用前方係止部１７が形成されている部分と反対側の端部に相対するように、面部１０から突出させて、丸樋係止凸部１９aが形成されている。
軒樋吊り金具１Ａの面部１０には、軸長穴１１Ａと係止長穴１３Ａが設けられている。それぞれ、後述する固定金具１Ｂの軸穴１１と係止穴１３に対応する位置にあけられている。
【００４８】
固定金具１Ｂは、略扇形をした面板部１０Ｂと、その一端から略直角に折り曲げられた固定面１１Ｂとを有している。この固定面１１Ｂを鼻隠しＨに止着具にて固定するのである。
面板部１０Ｂには、軒樋吊り金具１Ａの軸長穴１１Ａに対応する位置に軸穴１１が、係止長穴１３Ａに対応する位置に係止穴１３がそれぞれ設けられている。
軸穴１１は、第三実施例には１つ形成されているが、第四実施例は左右に並んで複数形成されている。これは、後に詳述するが、鼻隠しＨが屋根勾配に垂直に形成されている場合、軸長穴１１Ａ、係止長穴１３Ａを利用して、樋勾配に対応させるよう軒樋吊り金具１Ａを移動するときに、軒樋吊り金具１Ａが鼻隠しＨに阻まれて移動できなくなることを回避するために設けられている。
係止穴１３は、鼻隠しＨの角度に合わせて軒樋吊り金具１Ａの角度を調整できるように、弧を描くように複数設けられている。
【００４９】
このように構成された軒樋吊り金具１Ａの軸長穴１１Ａと固定金具１Ｂの軸穴１１とを合わせて、軸ピン１２を通して組み合わせる。この実施例においては、軸ピン１２としてボルトが用いられており、ナットを締めることで組み合わせる。
また、軒樋吊り金具１Ａの係止長穴１３Ａに固定金具１Ｂの係止穴１３を合わせ、係止ピン１４を通して固定する。この実施例においては、係止ピン１４としてボルトが用いられており、ナットを締めることで固定する。
こうして、軒樋吊り金具１Ａと固定金具１Ｂとが組み合わせられて、軒樋取り付け金具１を形成するものである。
【００５０】
この軒樋取り付け金具１を用いて丸樋を取り付けた実施例が、図２５〜図２８である。この軒樋取り付け金具１の丸樋載置部１９をあらかじめ市販の丸樋の形状に合わせて設計しておくなら、丸樋は市販のものを用いることができる。
【００５１】
前述の通り、軒樋吊り金具１Ａと固定金具１Ｂをあらかじめ組み合わせておくが、固定金具１Ｂの係止穴１３を鼻隠しＨの角度に合わせて適宜選んで、係止長穴１３Ａに係止ピン１４で止めることで、鼻隠しＨの角度に合わせて軒樋吊り金具１Ａの角度を調整しておくことができる。
この軒樋取り付け金具１を鼻隠しＨに固定した後に樋勾配を調整するので、軒樋吊り金具１Ａの係止長穴１３Ａに固定金具１Ｂの係止穴１３をあわせて、係止ピン１４で止めるとき、係止ピン１４として用いられているボルトにナットをゆるめに締めておく。
【００５２】
このようにして軒樋吊り金具１Ａと固定金具１Ｂが組み合わせられた軒樋取り付け金具１を、鼻隠しＨに固定するが、固定金具１Ｂの固定面１１Ｂを鼻隠しＨに止着具等で固定することで取り付けていく。
そして、軒樋吊り金具１Ａの軸長穴１１Ａと係止長穴１３Ａの穴の長さ方向において軸ピン１２と係止ピン１４を上下にスライドさせることで軒樋吊り金具１Ａを移動させ、適宜の位置に固定することで、軒樋の樋勾配を調整するのである。
【００５３】
その後、丸樋載置部１９に丸樋を載せ固定具で固定する。まず、丸樋の奥側に位置する耳部を丸樋係止凸部１９aよりも奥に差し込み、丸樋を丸樋載置部１９に載せて、手前側の耳部を固定具で固定する。第一実施例と同様に、軒樋用前方係止部１７に丸樋固定具Ｃを取り付けて、丸樋の前端を丸樋固定具Ｃにて固定している。丸樋を固定する方法は、専用クリップを作製したり、あるいは番線で固定したりと、様々な方法が考え得る。
【００５４】
また、軒樋カバー２を軒樋カバー係止縁１８にはめ込んで取り付ける。この実施例の軒樋カバー２は第三実施例の軒樋カバー２と同じものであり、カバー面２２の前端が円弧状であり、その先端は、軒樋吊り金具１Ａのカバー前端係止用凸部１８aに係止する前端係止部２１が形成されている。カバー面２２の後端は、カバー後端係止用凸部１８ｂに係止するよう後端係止部２３が形成されている。
軒樋吊り金具１Ａのカバー後端係止用凸部１８ｂに軒樋カバー２の後端係止部２３を係止させ、カバー前端係止用凸部１８aに前端係止部２１を係止させることで、軒樋カバー２を軒樋カバー係止縁１８にはめ込んで取り付ける。
【００５５】
図２５〜図２８は、鼻隠しＨの角度に合わせて軒樋取り付け金具１の角度を調整する様子と樋勾配を調整する様子を表している。
軒樋吊り金具１Ａの係止長穴１３Ａと固定金具１Ｂの係止穴１３を適宜選んで合わせることで、図２５と図２６のように鉛直に取り付けられた鼻隠しＨに対しても、図２７と図２８のように屋根勾配に対して垂直に取り付けられた鼻隠しＨに対しても、軒樋をより水平に近い角度で取り付けることができる。
【００５６】
軒樋取り付け金具１を鉛直に取り付けられた鼻隠しＨに取り付ける場合は、固定金具１Ｂの左右に並んだ軸穴１１のうち、最も鼻隠しＨ側に位置する軸穴１１に軒樋吊り金具１Ａの軸長穴１１Ａをあわせて軸ピン１２を通して固定し、固定金具１Ｂの最も鼻隠しＨ側に位置する係止穴１３に、軒樋吊り金具１Ａの係止長穴１３Ａをあわせて係止ピン１４を通して固定する。
【００５７】
軒樋取り付け金具１を屋根勾配に対して垂直に取り付けられた鼻隠しＨに取り付ける場合は、固定金具１Ｂの左右に並んだ軸穴１１のうち、複数の軸穴１１から適切なものを選んで、そこに軒樋吊り金具１Ａの軸長穴１１Ａをあわせて軸ピン１２を通して固定する。
軸穴１１を複数設けて、その中から適切な位置の軸穴１１を選んで軒樋吊り金具１Ａの軸長穴１１Ａをあわせる理由は、後述する樋勾配を調整する際に、最も鼻隠しＨ側に位置する軸穴１１に軸ピン１２を通して固定すると、図２８のように軒樋を高い位置に調整するとき、軒樋吊り金具１Ａの上部が鼻隠しＨにぶつかってしまい、十分な高さに持ち上げることができないからである。
つまり鼻隠しＨから遠い方の軸穴１１は、軒樋を高い位置に調整するとき、軒樋吊り金具１Ａの上部が鼻隠しＨにぶつかって途中までしか持ち上げられないということのない位置に、設ける必要がある。
そして、軒樋がより水平になるよう係止穴１３を適宜選んで、軒樋吊り金具１Ａの係止長穴１３Ａにあわせて係止ピン１４を通してとめる。
このように鼻隠しＨの角度が変わっても、軒樋をより水平に近い角度で取り付けることができる軒樋取り付け金具１である。
【００５８】
次に、樋勾配を調整する様子を説明する。
まず、鉛直に取り付けられた鼻隠しＨに軒樋取り付け金具を取り付ける場合の軒樋の樋勾配を調整する様子を、図２５と図２６に基づいて説明する。
図２５は軒樋吊り金具１Ａの軸長穴１１Ａと係止長穴１３Ａの一番高いところに軸ピン１２と係止ピン１４が固定されている。
これに対し、図２６は軒樋吊り金具１Ａの軸長穴１１Ａと係止長穴１３Ａの一番低いところに軸ピン１２と係止ピン１４が固定されている。
図２５と図２６を比較すると、図２５の軒樋取り付け金具１よりも図２６の軒樋取り付け金具１の方が、高い位置に取り付けられていることが示されている。
このように軒樋吊り金具１Ａの軸長穴１１Ａと係止長穴１３Ａの長穴の長さ方向において軸ピン１２と係止ピン１４を上下にスライドさせることで軒樋吊り金具１Ａを移動させ、適宜の位置に固定し、軒樋の樋勾配を調整することができる。
【００５９】
つぎに、鼻隠しＨが屋根勾配に対して垂直に設けられている場合の軒樋の樋勾配を調整する様子を、図２７と図２８に基づいて説明する。
図２７は軒樋吊り金具１Ａの軸長穴１１Ａと係止長穴１３Ａの一番高いところに軸ピン１２と係止ピン１４が固定されている。
これに対し、図２８は軒樋吊り金具１Ａの軸長穴１１Ａと係止長穴１３Ａの一番低いところに軸ピン１２と係止ピン１４が固定されている。
図２７と図２８を比較すると、図２７の軒樋取り付け金具１よりも図２８の軒樋取り付け金具１の方が、高い位置に取り付けられていることが示されている。
このように軒樋吊り金具１Ａの軸長穴１１Ａと係止長穴１３Ａの穴の長さ方向において軸ピン１２と係止ピン１４を上下にスライドさせることで軒樋吊り金具１Ａを移動させ、適宜の位置に固定し、軒樋の樋勾配を調整することができる。
【００６０】
この軒樋取り付け金具１を用いて角樋を取り付けた実施例が、図２９である。
角樋には、前端に軒樋前端３Ａが、後端に軒樋後端３Ｂが形成されている。軒樋吊り金具１Ａの軒樋用前方係止部１７は、軒樋前端３Ａ内にはまり込んで係止する形状をしており、係止突起１５は軒樋後端３Ｂを係止できる形状をしており、相対するストッパー１６は、係止突起１５との間に軒樋後端３Ｂを差し込むことができる形状に形成されている。
市販の角樋の軒樋前端３Ａや軒樋後端３Ｂにあわせて、軒樋吊り金具１Ａの軒樋用前方係止部１７と係止突起１５およびストッパー１６を設計しておけば、市販されている角樋を用いることができるので、一層コストダウンを図ることができる。
このように構成された軒樋取り付け金具１を、前述と同様に、鼻隠しＨの角度に合わせて軒樋吊り金具１Ａと固定金具１Ｂとを組み合わせておき、鼻隠しＨに取り付ける。
軒樋前端３Ａを軒樋取り付け金具１の軒樋用前方係止部１７に係止させ、軒樋後端３Ｂを軒樋取り付け金具１の係止突起１５とストッパー１６の間に差し込んで、係止突起１５に係止させる。ストッパー１６があるため、係止突起１５から軒樋後端３Ｂがはずれるのを防止できる。
また、軒樋カバー２を、前述と同様に、軒樋カバー係止縁１８にはめ込んで取り付ける。
【００６１】
このように本発明にかかる第四実施例は、軒樋吊り金具１Ａと固定金具１Ｂとを組み合わせているものであり、軒樋吊り金具１Ａも固定金具１Ｂも、板金をカットしたものをプレス成型することができる形状である。
また、軒樋吊り金具１Ａと固定金具１Ｂとを組み合わせることで、鼻隠しＨの角度が異なるものに対しても、軒樋をより水平に近い角度に取りつけることができる。
そのうえ、軒樋吊り金具１Ａの軸穴１１、係止穴１３、および、固定金具１Ｂの軸穴１１、係止穴１３のいずれかを長穴にしているので、長穴の長さ方向において、軸ピン１２と係止ピン１４を上下にスライドさせることで軒樋吊り金具１Ａを移動させ、適宜の位置に固定し、軒樋の樋勾配を調整することができるものである。
そして、この軒樋取り付け金具１に軒樋と軒樋カバー２の双方を取り付けることができ、軒樋も消費者の好みに合わせて丸樋と角樋のいずれにも適応することができるものである。
市販の丸樋や角樋に合わせて、丸樋載置部１９や軒樋用前方係止部１７、係止突起１５、ストッパー１６等の寸法や形状を設定しておけば、市販の樋を使用することができるので、一層のコストダウンを図ることができる。
簡易な形状の軒樋吊り金具１Ａと固定金具１Ｂを組み合わせたことで、低コストで作製でき、かつ上記のような多機能を備えた軒樋取り付け金具を提供するものである。
加えて、あらかじめ鼻隠しＨの角度に合わせて、軒樋吊り金具１Ａと固定金具１Ｂとを組み合わせておき、それを鼻隠しＨに順次取り付け、その後軒樋と軒樋カバー２をはめながら固定していくことで施工できるので、特別な熟練を必要とせずに施工できるという利点もある。
【実施例５】
【００６２】
本発明の第五実施例について、図３０〜図３７に基づいて説明する。
この第五実施例は、軒樋吊り金具１Ａを軒樋固定部Ｅと軒樋カバー固定部Ｄに分割して、スライド機構を介して連結したものである。
図３０は軒樋取り付け金具１の斜視図、図３１は軒樋カバー固定部Ｄの斜視図、図３２は軒樋固定部Ｅの斜視図、図３３は固定金具１Ｂの斜視図、図３４〜図３７は軒樋取り付け金具１の説明図である。
【００６３】
本実施例の軒樋取り付け金具１は、前述の第三実施例の軒樋吊り金具１Ａを上下に二分割して、軒樋カバー固定部Ｄと軒樋固定部Ｅとし、スライド機構を介して連結したものである。軒樋固定部Ｅに長穴を設けることで、樋勾配にも対応することができる軒樋取り付け金具１を提供するものである。
【００６４】
さらに詳しく説明すると、図３１に示した軒樋カバー固定部Ｄと図３２に示した軒樋固定部Ｅとを組み合わせて軒樋吊り金具１Ａを構成し、その軒樋吊り金具１Ａと図３３に示した固定金具１Ｂとを組み合わせて軒樋取り付け金具１が構成されている。
この軒樋カバー固定部Ｄと軒樋固定部Ｅと固定金具１Ｂとは、板金をカットし、プレスで成型したものである。
【００６５】
まず、軒樋カバー固定部Ｄについて説明すると、軒樋カバー固定部Ｄの面部１０の上縁は、軒樋カバー２をはめ込むことができる形状の軒樋カバー係止縁１８となっている。軒樋カバー係止縁１８の前端にはカバー前端係止用凸部１８aが、後端にはカバー後端係止用凸部１８ｂが、それぞれ軒樋カバー２の形状に合わせて形成されている。
軒樋カバー固定部Ｄの面部１０には、軸穴１１と係止穴１３が設けられている。
また、軒樋固定部Ｅと連結させるための連結用面部１０Ｄが、面部１０から延びて形成されており、そこにスライド用係止穴１３Ｂが設けられている。
それぞれ、後述する軒樋固定部Ｅの係止長穴１３Ａとスライド用係止長穴１３Ｃおよび固定金具１Ｂの軸穴１１と係止穴１３に対応する位置にあけられている。
そして、軒樋固定部Ｅの合わせ面部１０Ｃが重なる部分の左右縁にスライド用ガイドＧを形成している。
【００６６】
次に軒樋固定部Ｅについて説明すると、丸樋の形状に沿うように弧を描いて形成される丸樋載置部１９が形成されており、丸樋載置部１９の前端には、角樋の前端縁を係止することができる形状の軒樋用前方係止部１７が形成されている。後端には角樋の後端縁を係止することができる係止突起１５が形成されており、係止突起１５と相対するようにストッパー１６が設けられている。
また、丸樋載置部１９に丸樋を載せたときに、丸樋の耳部を係止する丸樋係止凸部１９aが形成されている。丸樋載置部１９に丸樋を載せたとき、一方の耳部は後述する丸樋固定具Ｃで固定されるので、もう一方の耳部を、丸樋係止凸部１９aにて係止するのである。それで、丸樋載置部１９の、軒樋用前方係止部１７が形成されている部分と反対側の端部に相対するように、合わせ面部１０Ｃから突出させて、丸樋係止凸部１９aが形成されている。
軒樋固定部Ｅの合わせ面部１０Ｃには、係止長穴１３Ａとスライド用係止長穴１３Ｃが設けられている。係止長穴１３Ａは軒樋カバー固定部Ｄの係止穴１３と固定金具１Ｂの係止穴１３に対応する位置に、スライド用係止長穴１３Ｃは軒樋カバー固定部Ｄのスライド用係止穴１３Ｂに対応する位置に、それぞれあけられている。
【００６７】
係止穴１３と係止長穴１３Ａおよびスライド用係止穴１３Ｂとスライド用係止長穴１３Ｃがそれぞれ重なるように、軒樋カバー固定部Ｄの連結用面部１０Ｄに軒樋固定部Ｅの合わせ面部１０Ｃを重ねる。このとき、左右のスライド用ガイドＧ間に、合わせ面部１０Ｃをはめることで、位置を決めやすい。
そして、それぞれの穴に係止ピン１４とスライド用係止ピン１４Ａを差し込むと、係止長穴１３Ａとスライド用係止長穴１３Ｃの長さ分だけ、軒樋固定部Ｅを上下にスライドさせながら移動させることができる。この実施例においては、係止ピン１４としてボルトが用いられており、ナットを締めることで固定する。
このようなスライド機構を介して、軒樋カバー固定部Ｄと軒樋固定部Ｅとを連結し、軒樋吊り金具１Ａとする。
【００６８】
この実施例においては、軒樋カバー固定部Ｄと軒樋固定部Ｅとを連結する際、後述する固定金具１Ｂも一緒に取り付けることができるよう、軒樋固定部Ｅの合わせ面部１０Ｃに係止長穴１３Ａを形成してある。固定金具１Ｂも一緒に取り付けることで一層強度の高いものを提供できるからである。
しかし、図示していないが、軒樋カバー固定部Ｄと軒樋固定部Ｅとを連結するための他のスライド機構としては、軒樋カバー固定部Ｄに連結用面部１０Ｄとスライド用係止穴１３Ｂが形成されており、軒樋固定部Ｅに合わせ面部１０Ｃとスライド用係止長穴１３Ｃが形成されているものでもよい。
連結用面部１０Ｄに合わせ面部１０Ｃを重ね、スライド用係止穴１３Ｂとスライド用係止長穴１３Ｃにスライド用係止ピン１４Ａを通して固定することで、軒樋カバー固定部Ｄと軒樋固定部Ｅをスライド機構を介して連結させることができる。
つまり、合わせ面部１０Ｃを図３２に示したものよりも短くして、係止長穴１３Ａを設けず、スライド用係止長穴１３Ｃを設けるだけにし、軒樋カバー固定部Ｄに形成されたスライド用係止穴１３Ｂと、軒樋固定部Ｅに形成されたスライド用係止長穴１３Ｃと、スライド用係止ピン１４Ａとで、スライド機構を構成することができる。
【００６９】
固定金具１Ｂは、第三実施例と同様で、略扇形をした面板部１０Ｂと、その一端から略直角に折り曲げられた固定面１１Ｂとを有している。この固定面１１Ｂを鼻隠しＨに止着具にて固定するのである。面板部１０Ｂには、軒樋吊り金具１Ａの軸穴１１に対応する位置に軸穴１１が、係止穴１３に対応する位置に係止穴１３がそれぞれ設けられている。係止穴１３は、鼻隠しＨの角度に合わせて軒樋吊り金具１Ａの角度を調整できるように、弧を描くように複数設けられている。
【００７０】
この固定金具１Ｂを、軒樋カバー固定部Ｄと軒樋固定部Ｅとを連結する際、一緒に取り付けるが、まず、軒樋吊り金具１Ａの軸穴１１と固定金具１Ｂの軸穴１１とを合わせて、軸ピン１２を通して組み合わせる。この実施例においては、軸ピン１２としてボルトが用いられており、ナットを締めることで組み合わせる。
また、軒樋カバー固定部Ｄの係止穴１３に固定金具１Ｂの係止穴１３と軒樋固定部Ｅの係止長穴１３Ａを合わせ、係止ピン１４を通して固定する。この実施例においては、係止ピン１４としてボルトが用いられており、ナットを締めることで固定する。
そして、スライド用係止穴１３Ｂとスライド用係止長穴１３Ｃをあわせて係止ピン１４を通して固定する。
こうして、軒樋吊り金具１Ａと固定金具１Ｂとが組み合わせられて、軒樋取り付け金具１を形成するものである。
【００７１】
この軒樋取り付け金具１を用いて丸樋を取り付けた実施例が、図３４〜図３６である。この軒樋取り付け金具１の丸樋載置部１９をあらかじめ市販の丸樋の形状に合わせて設計しておくことで、丸樋は市販のものを用いることができる。
前述の通り、軒樋吊り金具１Ａと固定金具１Ｂをあらかじめ組み合わせておくが、固定金具１Ｂの係止穴１３を鼻隠しＨの角度に合わせて適宜選んで、軒樋カバー固定部Ｄの係止穴１３と軒樋固定部Ｅの係止長穴１３Ａに係止ピン１４で止めることで、鼻隠しＨの角度に合わせて軒樋吊り金具１Ａの角度を調整しておくことができる。
この軒樋取り付け金具１を鼻隠しＨに固定した後に樋勾配を調整するので、軒樋吊り金具１Ａの係止長穴１３Ａに固定金具１Ｂの係止穴１３をあわせて、係止ピン１４で止めるとき、係止ピン１４として用いられているボルトにナットをゆるめに締めておく。
【００７２】
このようにして軒樋吊り金具１Ａと固定金具１Ｂが組み合わせられた軒樋取り付け金具１を、鼻隠しＨに固定するが、固定金具１Ｂの固定面１１Ｂを鼻隠しＨに止着具等で固定することで取り付けていくことができる。
【００７３】
そして、軒樋吊り金具１Ａの係止長穴１３Ａとスライド用係止長穴１３Ｃの長穴の長さ方向において係止ピン１４とスライド用係止ピン１４Ａを上下にスライドさせ、適宜の位置に固定することで、軒樋の樋勾配を調整するのである。
【００７４】
その後、丸樋載置部１９に丸樋を載せ固定具で固定する。まず、丸樋の奥側に位置する耳部を丸樋係止凸部１９aよりも奥に差し込み、丸樋を丸樋載置部１９に載せて、手前側の耳部を固定具で固定する。第三実施例と同様に、軒樋用前方係止部１７に丸樋固定具Ｃを取り付けて、丸樋の前端を丸樋固定具Ｃにて固定している。丸樋を固定する方法は、専用クリップを作製したり、あるいは番線で固定したりと、様々な方法が考え得る。
【００７５】
また、軒樋カバー２を軒樋カバー係止縁１８にはめ込んで取り付ける。この実施例の軒樋カバー２も第三実施例と同様に、カバー面２２の前端が円弧状であり、その先端は、軒樋吊り金具１Ａのカバー前端係止用凸部１８aに係止する前端係止部２１が形成されている。カバー面２２の後端は、カバー後端係止用凸部１８ｂに係止するよう後端係止部２３が形成されている。
軒樋吊り金具１Ａのカバー後端係止用凸部１８ｂに軒樋カバー２の後端係止部２３を係止させ、カバー前端係止用凸部１８aに前端係止部２１を係止させることで、軒樋カバー２を軒樋カバー係止縁１８にはめ込んで取り付ける。
【００７６】
図３４〜図３６は、鼻隠しＨの角度に合わせて軒樋取り付け金具１の角度を調整する様子と樋勾配を調整する様子を表している。
軒樋吊り金具１Ａの係止穴１３と係止長穴１３Ａに固定金具１Ｂの係止穴１３を適宜選んで合わせることで、図３４と図３６のように鉛直に取り付けられた鼻隠しＨに対しても、図３５のように屋根勾配に対して垂直に取り付けられた鼻隠しＨに対しても軒樋をより水平に近い角度に取り付けることができる。
【００７７】
次に、樋勾配を調整する様子を説明する。
図３４と図３６に基づいて説明すると、図３４は軒樋吊り金具１Ａの係止長穴１３Ａとスライド用係止長穴１３Ｃの一番低いところに係止ピン１４とスライド用係止ピン１４Ａが固定されている。
これに対し、図３６は軒樋吊り金具１Ａの係止長穴１３Ａとスライド用係止長穴１３Ｃの一番高いところに係止ピン１４とスライド用係止ピン１４Ａが固定されている。
図３４と図３６を比較すると、図３４の軒樋取り付け金具１よりも図３６の軒樋取り付け金具１の方が、低い位置に軒樋が取り付けられていることが示されている。
このように、軒樋吊り金具１Ａの係止長穴１３Ａとスライド用係止長穴１３Ｃの長穴の長さ方向において、係止ピン１４とスライド用係止ピン１４Ａを上下にスライドさせることで軒樋固定部Ｅを移動させ、適宜の位置に固定することで、軒樋の樋勾配を調整することができる。
鼻隠しＨが屋根勾配に対して垂直に設けられている場合の軒樋の樋勾配を調整する方法も同様である。
【００７８】
軒樋カバー固定部と軒樋固定部を連結させるスライド機構において、合わせ面部１０Ｃを図３２に示したものよりも短くして、係止長穴１３Ａを設けず、スライド用係止長穴１３Ｃを設けるだけにし、軒樋カバー固定部Ｄに形成されたスライド用係止穴１３Ｂと、軒樋固定部Ｅに形成されたスライド用係止長穴１３Ｃと、スライド用係止ピン１４Ａとで構成した場合、軒樋吊り金具１Ａの軒樋固定部Ｅのスライド用係止長穴１３Ｃの長穴の長さ方向において、スライド用係止ピン１４Ａを上下にスライドさせて適宜の位置に固定することで、軒樋固定部Ｅを移動させ、軒樋の樋勾配を調整することができる。
【００７９】
この軒樋取り付け金具１を用いて角樋を取り付けた実施例が、図３７である。前述の第三実施例、第四実施例と同様に、軒樋取り付け金具１を鼻隠しＨに取り付け、軒樋前端３Ａを軒樋取り付け金具１の軒樋用前方係止部１７に係止させ、軒樋後端３Ｂを軒樋取り付け金具１の係止突起１５とストッパー１６の間に差し込んで、係止突起１５に係止させる。ストッパー１６があるため、係止突起１５から軒樋後端３Ｂがはずれるのを防止できる。
また前述と同様に、軒樋カバー２を軒樋カバー係止縁１８にはめ込んで取り付ける。
【００８０】
このように本発明にかかる第五実施例は、第三実施例の軒樋吊り金具１Ａを上下に二分割して、軒樋カバー固定部Ｄと軒樋固定部Ｅとしたものである。
そして、軒樋固定部Ｅに長穴を設け、スライド機構を介して、軒樋カバー固定部Ｄと軒樋固定部Ｅとを連結したものである。
スライド機構の他の実施形態として、軒樋カバー固定部Ｄのスライド用係止穴１３Ｂを長穴にして、軒樋固定部Ｅのスライド用係止長穴１３Ｃを丸穴にする方法や、軒樋カバー固定部Ｄのスライド用係止穴１３Ｂと、軒樋固定部Ｅのスライド用係止長穴１３Ｃを両方とも長穴にする方法など、様々設計することができる。
このようなスライド機構によって軒樋固定部Ｅを上下に移動させることで、軒樋の樋勾配を調整することができ、このため、第一実施例が達成する作用効果を達成し、その上、樋勾配にも対応することができるものである。
【図面の簡単な説明】
【００８１】
【図１】本発明第一実施例の斜視図である。
【図２】本発明第一実施例の分解斜視図である。
【図３】本発明第一実施例の丸樋固定具Ｃを取り付けた説明図である。
【図４】本発明第一実施例の丸樋を取り付けた説明図である。
【図５】本発明第一実施例の角樋固定具Ｉを取り付けた説明図である。
【図６】本発明第一実施例の角樋を取り付けた説明図である。
【図７】本発明第二実施例の斜視図である。
【図８】本発明第二実施例の丸樋固定具Ｃを取り付けた説明図である。
【図９】本発明第二実施例の丸樋を取り付けた説明図である。
【図１０】本発明第二実施例の角樋固定具Ｉを取り付けた説明図である。
【図１１】本発明第二実施例の角樋を取り付けた説明図である。
【図１２】本発明第一実施例・第二実施例の融雪用ヒーターＹを取り付けた説明図である。
【図１３】本発明第三実施例の斜視図である。
【図１４】本発明第三実施例の軒樋吊り金具の斜視図である。
【図１５】本発明第三実施例の固定金具の斜視図である。
【図１６】本発明第三実施例の説明図である。
【図１７】本発明第三実施例の説明図である。
【図１８】本発明第三実施例の説明図である。
【図１９】本発明第三実施例の説明図である。
【図２０】本発明第三実施例の説明図である。
【図２１】本発明第三実施例の説明図である。
【図２２】本発明第四実施例の斜視図である。
【図２３】本発明第四実施例の軒樋吊り金具の斜視図である。
【図２４】本発明第四実施例の固定金具の斜視図である。
【図２５】本発明第四実施例の説明図である。
【図２６】本発明第四実施例の説明図である。
【図２７】本発明第四実施例の説明図である。
【図２８】本発明第四実施例の説明図である。
【図２９】本発明第四実施例の説明図である。
【図３０】本発明第五実施例の斜視図である。
【図３１】本発明第五実施例の軒樋カバー固定部Ｄの斜視図である。
【図３２】本発明第五実施例の軒樋固定部Ｅの斜視図である。
【図３３】本発明第五実施例の固定金具の斜視図である。
【図３４】本発明第五実施例の説明図である。
【図３５】本発明第五実施例の説明図である。
【図３６】本発明第五実施例の説明図である。
【図３７】本発明第五実施例の説明図である。
【図３８】従来の技術を表す図である。
【図３９】従来の技術を表す図である。
【図４０】従来の技術を表す図である。
【図４１】従来の技術を表す図である。
【図４２】角樋固定具Ｉの他の実施例の図である。
【図４３】図４２の角樋固定具Ｉの説明図である。
【符号の説明】
【００８２】
１      軒樋取り付け金具
１Ａ    軒樋吊り金具
１Ｂ    固定金具
１０    面部
１０Ｂ  面板部
１０Ｃ  合わせ面部
１１    軸穴
１１Ａ  軸長穴
１２    軸ピン
１３    係止穴
１３Ａ  係止長穴
１３Ｂ  スライド用係止穴
１３Ｃ  スライド用係止長穴
１４    係止ピン
１４Ａ  スライド用係止ピン
１５    係止突起
１６    ストッパー
１７    軒樋用前方係止部
１８    軒樋カバー係止縁   
１８a  カバー前端係止用凸部
１８ｂ  カバー後端係止用凸部
１８ｃ  カバー前端係止部
１９    丸樋載置部
１１Ｂ  固定面
２      軒樋カバー
２１    前端係止部
２２    カバー面
２３    後端係止部
２４    カバー後端立ち上がり片
３      軒樋
３Ａ    軒樋前端
３Ｂ    軒樋後端
Ｃ      丸樋固定具
Ｃ１    丸樋固定用金具
Ｄ      軒樋カバー固定部
Ｅ      軒樋固定部
Ｇ      スライド用ガイド
Ｈ      鼻隠し
Ｋ      屈曲自在帯状体
Ｉ      角樋固定具
Ｙ      融雪用ヒーター
【図１】
2004183474.tif 000003
【図２】
2004183474.tif 000004
【図３】
2004183474.tif 000005
【図４】
2004183474.tif 000006
【図５】
2004183474.tif 000007
【図６】
2004183474.tif 000008
【図７】
2004183474.tif 000009
【図８】
2004183474.tif 000010
【図９】
2004183474.tif 000011
【図１０】
2004183474.tif 000012
【図１１】
2004183474.tif 000013
【図１２】
2004183474.tif 000014
【図１３】
2004183474.tif 000015
【図１４】
2004183474.tif 000016
【図１５】
2004183474.tif 000017
【図１６】
2004183474.tif 000018
【図１７】
2004183474.tif 000019
【図１８】
2004183474.tif 000020
【図１９】
2004183474.tif 000021
【図２０】
2004183474.tif 000022
【図２１】
2004183474.tif 000023
【図２２】
2004183474.tif 000024
【図２３】
2004183474.tif 000025
【図２４】
2004183474.tif 000026
【図２５】
2004183474.tif 000027
【図２６】
2004183474.tif 000028
【図２７】
2004183474.tif 000029
【図２８】
2004183474.tif 000030
【図２９】
2004183474.tif 000031
【図３０】
2004183474.tif 000032
【図３１】
2004183474.tif 000033
【図３２】
2004183474.tif 000034
【図３３】
2004183474.tif 000035
【図３４】
2004183474.tif 000036
【図３５】
2004183474.tif 000037
【図３６】
2004183474.tif 000038
【図３７】
2004183474.tif 000039
【図３８】
2004183474.tif 000040
【図３９】
2004183474.tif 000041
【図４０】
2004183474.tif 000042
【図４１】
2004183474.tif 000043
【図４２】
2004183474.tif 000044
【図４３】
2004183474.tif 000045